(57)【要約】【課題】振動タイプのポンプ電磁回路が作動した時に発生するコイル線の振動を防止し、電磁駆動装置の長寿命化を図る。【解決手段】鉄心への電磁コイルの取付に２つのコイルプロテクター（１０）を含み、これらのプロテクターを、各々のコイル（４）と該当する鉄心の枝部分（２）との間に挿入してコイルと鉄心の間に空間（１１）を形成し、これらの空間を充填用の樹脂（７）で充填するために、各々のコイルプロテクター（１０）が、本質的に、鉄心の縦方向の枝部分（２）の下端部の周囲に取り付けられた四角の基本形状を持つ下部部分（１２）、および、四角の部分から垂直に延ばされた角棒（１３）と中間部分（１４）を含み、これらがコイル（４）と枝部分（２）の間に挿入されている。【選択図】　　　図１
2004076586.tif 000002
【特許請求の範囲】
【請求項１】
縦方向の平行な２つの枝部分及び横方向の枝部分によって形成される“Ｕ”字形鉄心、平行な枝部分の各々の周囲に巻かれたコイル、および電源ケーブルとを含む電磁回路を備え、該電磁回路は、振動タイプの水圧縮ポンプの一部を構成し、該ポンプは、内部に上記電磁回路が収納され取付けられたボウル状下部空間および上記電磁回路を包むための充填用の樹脂で形成される本体を有する鉄心へのコイル取付配置において、該アセンブリーは、各々のコイルと該当する鉄心の枝部分との間に挿入され、コイルと鉄心の間に充填用の樹脂で満たされる空間を画定する二つのコイルプロテクターを有し、各コイルプロテクターは、本質的に、鉄心の横方向の枝部分と角部を形成する縦方向の枝部分の下端部周囲に取り付けられている実質的に四角形状の下部部分を含み、さらに、角棒と、該角棒から直角に延びる中間部分と、大きい四角部とを含み、これらは鉄心の枝部分の隅と側面に配置され且つ鉄心の枝部分とコイルの間に挿入され、鉄心の枝部分とコイル間に空間を形成し、コイル間の空間、コイルとポンプ本体の壁との間に位置する空間、および鉄心の横方向の枝部分とポンプ本体の壁との間に位置する空間を充填用の樹脂で充填して電磁回路の部品間及び該電磁回路とポンプ本体間を機械的に結合し、前記の四角形状の下部部分の下方の横方向枝部に向けられた面によって、充填樹脂を循環せしめるために中間部分に凹部が設けられたことを特徴とする鉄心へのコイル取付配置
【発明の詳細な説明】
【０００１】
【発明の属する技術分野】
本発明は、電磁回路の分野、特に振動タイプのポンプ回路の分野に属し、回路により優れた機能とより長い有効寿命を与えるための配置がなされた鉄心におけるコイル取付配置に関する。
【０００２】
【従来技術】
コイルと鉄心で構成され、貯水と水の圧縮を保証するポンプ可動部分に運動を伝える構成要素を従える電磁回路を含んでいる振動ポンプは、すでに知られている。一般的な構造では、コイルと鉄心を含むこの電磁回路は、ポンプ本体の下部空間（ボウル状）に取付・収納され、ボウル状の穴から外部へ出される電源ケーブルと接続し、また充填用樹脂で充填されている。
【０００３】
【発明が解決しようとする課題】
本発明の課題は、従来例の振動タイプのポンプ電磁回路では、作動したときにコイル線に振動が生じ、長期の使用においてコイル線の切断、続いて回路の焼け焦げを引起す等の問題が生じていた。本発明は、振動タイプのポンプの作動時に発生するコイル線の振動を防止し、電磁駆動装置としての長寿命化を図ることを目的とする。
【０００４】
【課題を解決するための手段】
本発明は上記の課題を解決するため、振動ポンプの駆動装置における鉄心への電磁コイルの取付に２つのコイルプロテクター（１０）を含み、これらのプロテクターを、各々のコイル（４）と該当する鉄心の枝部分（２）との間に挿入してコイルと鉄心の間に空間（１１）を形成し、これらの空間を充填用の樹脂（７）で充填するもので、その樹脂の充填に際し、各々のコイルプロテクター（１０）が、本質的に、鉄心の縦方向の枝部分（２）の下端部の周囲に取り付けられた四角の基本形状を持つ下部部分（１２）、および、四角の部分から垂直に延ばされた角棒（１３）と中間部分（１４）を含み、これらをコイル（４）と枝部分（２）の間に挿入するようにして樹脂充填のための空間を形成し、充填した樹脂によってコイルと鉄心とを固定することによって上記課題を解決している。
【０００５】
使用において、この構造がもたらす影響として、この構造では、ポンプのスイッチが入ると、コイル線の振動という障害が発生する。そして時間とともに、線の切断、続いて回路の焼け焦げを引起すこともある。
【０００６】
本発明の対象である配置の目的は、上記の問題を克服するコイルと鉄心の取付配置を提供することである。
【０００７】
本発明の別の目的は、ポンプの構造と製造工程を複雑にしない取付を提供することである。
【０００８】
本発明のさらに別の目的は、上記の利点にもかかわらず、ポンプのコストに負担をかけない取付配置を提供することである。
【０００９】
上記の問題点を考慮し、これらの問題点の克服を目的として、また関連する目的に応えるために、本発明の対象である鉄心におけるコイル取付配置を開発した。鉄心は“Ｕ”字形であり、この鉄心の平行する枝部分の周囲に各々のコイルが巻かれる。本取付は、本質的に、２つのプラスチック製コイルプロテクターを用意することから成り、鉄心の枝部分に巻かれた各コイルに対し、一つのプロテクターが用意され、本質的に、鉄心の枝部分の基部周囲に位置する四角形状の部分を含み、また、四角形状の下部部分から直角に延び、鉄心の枝部分の隅と側面の中に位置し、これらの隅と側面そしてコイルの間に挿入された角棒を含み、コイルと鉄心の間にすき間が形成されるようになっており、これらのすき間にも充填用の樹脂が充填される。
【００１０】
コイルプロテクターは、鉄心からコイルを絶縁させ、すべての方向において均一の距離を保ち、その幾何学的形状ゆえに、コイルと鉄心の間に充填用の樹脂が入り込むことが可能となり、この樹脂がコイルと鉄心を結合させ、これによって、コイル線が振動したり、切断されたり、電磁回路が焦げることを回避する。
【００１１】
このように、本発明による取付は、従来例における問題点を解決し、電磁回路の有効寿命を延ばし、したがって、ポンプ全体としての有効寿命を延ば素ことが出来る。
【００１２】
添付の図は、本発明の対象である鉄心におけるコイルの配置を示したものであり、その中で、図１は、ポンプ本体を構成するボウル状の側部断面図の詳細を示し、本配置にしたがってポンプが組み立てられる。また、図２〜８は、取付の一部を構成するコイルプロテクターの詳細を様々な方向から示したものである。
【００１３】
図に示すように、本発明の対象である取付は、電磁回路、特に、振動ポンプの電磁回路のコイルと鉄心に適用される。この振動ポンプは、本質的に、特に貯水と水の圧縮を保証するポンプ可動部分（図示しない）に運動を伝える構成要素（図示しない）の動きを保証する電磁回路１を含んでいる。そしてこの電磁回路は、縦方向に平行な２つの枝部分２で構成される“Ｕ”字形鉄心２、３、これらの枝部分を連結する横方向の枝部分３、および鉄心の平行する各々の枝部分２の周囲に巻かれたコイル４で構成される。
【００１４】
この電磁回路は、さらに電源ケーブル５を含んでいる。このポンプは、特に、電磁回路１が収納・取り付けられられた下部空間（ボウル状）６で構成される本体を有し、電気ケーブル出口用として径方向の穴が備えられている。またこの電磁回路は、電磁回路を包む充填用の樹脂７も含んでいる。
【００１５】
本発明の配置は、２つのコイルプロテクター１０の取付を提供することから成り、これらのプロテクターは、各々のコイル４と該当する鉄心の枝部分２の間に挿入され、コイルと鉄心の間に空間１１を形成し、この空間に充填用の樹脂７が充填される。こうして、鉄心２、３に対するコイル４の絶縁およびコイル・鉄心の機械的な結合を実現させ、コイル４の線が振動し、時間とともにコイル線が切断されたり、電磁回路が焼け焦げることを回避することが出来る。
【００１６】
各コイルプロテクター１０は、本質的に、鉄心の横方向の枝部分３と角を形成する縦方向の枝部分２の下端部周囲に取り付けられている四角の基本形状を持つ下部部分１２、および、角棒１３と仲介部分１４を含み、これらの角棒と仲介部分は、四角の角とより大きな側面から直角に延ばされ、鉄心の枝部分２の隅と側面の中に配置され、また、この鉄心の枝部分２とコイル４の間に挿入され、こうして前記の鉄心の枝部分２とコイル４の間に空間１１を形成する。
【００１７】
これらの空間、コイル間の空間、コイルとポンプ本体の壁との間に位置する空間、および鉄心の横方向の枝部分３とポンプ本体の壁との間に位置する空間は、充填用の樹脂７で満たされる。下に向けられた、つまり横方向の枝部分の側に向けられた四角形の部分１２の面は、樹脂が循環するために切り欠き１４を有している。
【００１８】
【発明の効果】
以上説明したように、本発明の取付配置におけるコイルプロテクターは、適当なプラスチック材料でできている。このように、電磁回路は一般的な方法で機能するが、電磁回路が作動した時は、コイル線の振動が発生しないので、従来例において一般的に見られる問題点を回避することができる。
【００１９】
上記説明の基本構造において、本発明の対象である取付配置は、特許請求の範囲に記載の要旨を逸脱することなく、材料、寸法、および構造・形状上の詳細に関する変更をなし得ることはもちろんである。
【図面の簡単な説明】
【図１】本発明を実施するポンプ本体を構成するボウル状の側部断面図。
【図２】本発明のコイルプロテクターの上面図。
【図３】本発明のコイルプロテクターの側面図。
【図４】本発明のコイルプロテクタの一部側面図。
【図５】本発明のコイルプロテクターの下面図。
【図６】本発明の図３に示すコイルプロテクターの符号Ａ−Ａからみた断面図。
【図７】本発明の図２に示すコイルプロテクターの符号Ｂからみた部分拡大図。
【図８】本発明の図３に示すコイルプロテクターの符号Ｃ−Ｃからみた断面図。
【符号の説明】
１　　電磁回路
２　　鉄心
３　　鉄心
４　　コイル
５　　電源ケーブル
６　　下部空間
７　　充填樹脂
１０　コイルプロテクター
１１　空間
１２　四角形状の下部部分
１３　角棒
１４　凹部を有する中間部分
【図１】
2004076586.tif 000003
【図２】
2004076586.tif 000004
【図３】
2004076586.tif 000005
【図４】
2004076586.tif 000006
【図５】
2004076586.tif 000007
【図６】
2004076586.tif 000008
【図７】
2004076586.tif 000009
【図８】
2004076586.tif 000010